【手続補正書】
【提出日】令和3年8月20日(2021.8.20)
【手続補正１】
【補正対象書類名】特許請求の範囲
【補正対象項目名】全文
【補正方法】変更
【補正の内容】
【特許請求の範囲】
【請求項１】
着座者がシートに着座した際に変化する対象値を検出する検出器を備え、
該検出器は、該検出器が前記対象値を検出した際に出力する信号を受信する信号受信部よりもシート前方側に位置していることを特徴とする検出器付きのシート。
【請求項２】
前記シート内に設けられたパッド材をさらに備え、
該パッド材は、前記シート内に設けられた前記信号受信部とは接触しない位置に配置されていることを特徴とする請求項１に記載の検出器付きのシート。
【請求項３】
前記シート内に設けられたパッド材と、
前記検出器が前記対象値を検出した際に出力する信号の伝送路のうち、前記信号受信部から延出した部分を形成する第２伝送路形成部と、をさらに備え、
該第２伝送路形成部は、前記信号受信部のうち、前記パッド材の厚み方向において前記パッド材に近い側に位置する部分と接続されていることを特徴とする請求項１又は２に記載の検出器付きのシート。
【請求項４】
前記検出器が前記対象値を検出した際に出力する信号の伝送路のうち、前記信号受信部から延出した部分を形成する第２伝送路形成部をさらに備え、
該第２伝送路形成部は、前記信号受信部のシート前後方向における前方部分と接続されていることを特徴とする請求項１乃至３のいずれか一項に記載の検出器付きのシート。
【請求項５】
前記シート内に設けられた前記信号受信部をさらに備え、
該信号受信部の上下方向における厚みは、前記検出器の厚みよりも大きいことを特徴とする請求項１乃至４のいずれか一項に記載の検出器付きのシート。
【請求項６】
前記シート内に設けられたパッド材と、
前記シート内に設けられた前記信号受信部と、をさらに備え、
該信号受信部のシート前後方向における長さは、前記検出器のうち、前記パッド材の上面に配置された部分のシート前後方向における長さよりも長いことを特徴とする請求項１乃至５のいずれか一項に記載の検出器付きのシート。
【請求項７】
前記シート内に設けられたパッド材と、
前記シート内に設けられた前記信号受信部と、をさらに備え、
前記検出器は、前記信号受信部の上面に対してシート前後方向の後方側から前方側へ向かうに従って上方へ傾いた状態となるようにして、前記パッド材上に載置されていることを特徴とする請求項１乃至６のいずれか一項に記載の検出器付きのシート。
【請求項８】
前記検出器の後端部は、前記信号受信部よりもシート前方に位置していることを特徴とする請求項請求項１乃至７のいずれか一項に記載の検出器付きのシート。
【請求項９】
前記シート内に設けられた前記信号受信部をさらに備え、
該信号受信部のシート前後方向における長さは、前記信号受信部の上下方向における厚さよりも大きいことを特徴とする請求項１乃至８のいずれか一項に記載の検出器付きのシート。
【請求項１０】
前記シート内に設けられたパッド材と、
該パッド材において、該パッド材の厚み方向の上端から下端に亘って形成された貫通孔と、
前記シート内に設けられた前記信号受信部と、をさらに備え、
該信号受信部が、シート側面視において前記貫通孔の上端の後端部と、前記貫通孔の下端の後端部とを通過する仮想直線よりもシート後方に配置されていることを特徴とする請求項１乃至９のいずれか一項に記載の検出器付きのシート。
【手続補正２】
【補正対象書類名】明細書
【補正対象項目名】０００４
【補正方法】変更
【補正の内容】
【０００４】
ところで、上記の伝送路については、圧力センサから延出している部分と、信号受信部から延出している部分と、に分かれている場合がある。かかる場合には、伝送路を構成する上記２つの部分を接続する接続部分が存在することになる。この接続部分については、周辺部材等と干渉して損傷するのを避ける目的から好適な位置に配置されることが考えられる。
【手続補正３】
【補正対象書類名】明細書
【補正対象項目名】０００５
【補正方法】変更
【補正の内容】
【０００５】
そこで、本発明の目的は、検出器から出力された信号の伝送路中、接続部分を好適な位置に配置した検出器付きのシートを提供することである。
【手続補正４】
【補正対象書類名】明細書
【補正対象項目名】０００６
【補正方法】変更
【補正の内容】
【０００６】
前記課題は、本発明の検出器付きのシートによれば、着座者がシートに着座した際に変化する対象値を検出する検出器を備え、該検出器は、該検出器が前記対象値を検出した際に出力する信号を受信する信号受信部よりもシート前方側に位置していることにより解決される。
【手続補正５】
【補正対象書類名】明細書
【補正対象項目名】０００７
【補正方法】変更
【補正の内容】
【０００７】
上記のように構成された本発明の検出器付きのシートであれば、検出器から出力された信号の伝送路中、接続部分を好適な位置に配置した検出器付きのシートを実現することができる。
【手続補正６】
【補正対象書類名】明細書
【補正対象項目名】０００８
【補正方法】変更
【補正の内容】
【０００８】
また、上記の検出器付きのシートにおいて、前記シート内に設けられたパッド材をさらに備え、該パッド材は、前記シート内に設けられた前記信号受信部とは接触しない位置に配置されているとよい。
また、上記の検出器付きのシートにおいて、前記シート内に設けられたパッド材と、前記検出器が前記対象値を検出した際に出力する信号の伝送路のうち、前記信号受信部から延出した部分を形成する第２伝送路形成部と、をさらに備え、該第２伝送路形成部は、前記信号受信部のうち、前記パッド材の厚み方向において前記パッド材に近い側に位置する部分と接続されているとよい。
また、上記の検出器付きのシートにおいて、前記検出器が前記対象値を検出した際に出力する信号の伝送路のうち、前記信号受信部から延出した部分を形成する第２伝送路形成部をさらに備え、該第２伝送路形成部は、前記信号受信部のシート前後方向における前方部分と接続されているとよい。
また、上記の検出器付きのシートにおいて、前記シート内に設けられた前記信号受信部をさらに備え、該信号受信部の上下方向における厚みは、前記検出器の厚みよりも大きいとよい。
また、上記の検出器付きのシートにおいて、前記シート内に設けられたパッド材と、前記シート内に設けられた前記信号受信部と、をさらに備え、該信号受信部のシート前後方向における長さは、前記検出器のうち、前記パッド材の上面に配置された部分のシート前後方向における長さよりも長いとよい。
また、上記の検出器付きのシートにおいて、前記シート内に設けられたパッド材と、前記シート内に設けられた前記信号受信部と、をさらに備え、前記検出器は、前記信号受信部の上面に対してシート前後方向の後方側から前方側へ向かうに従って上方へ傾いた状態となるようにして、前記パッド材上に載置されているとよい。
また、上記の検出器付きのシートにおいて、前記検出器の後端部は、前記信号受信部よりもシート前方に位置しているとよい。
また、上記の検出器付きのシートにおいて、前記シート内に設けられた前記信号受信部をさらに備え、該信号受信部のシート前後方向における長さは、前記信号受信部の上下方向における厚さよりも大きいとよい。
また、上記の検出器付きのシートにおいて、前記シート内に設けられたパッド材と、該パッド材において、該パッド材の厚み方向の上端から下端に亘って形成された貫通孔と、前記シート内に設けられた前記信号受信部と、をさらに備え、該信号受信部が、シート側面視において前記貫通孔の上端の後端部と、前記貫通孔の下端の後端部とを通過する仮想直線よりもシート後方に配置されているとよい。
上記の構成では、伝送路を好適な位置に配置した検出器付きのシートを実現することができる。
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】変更
【補正の内容】
【００１６】
本発明によれば、検出器から出力された信号の伝送路中、接続部分を好適な位置に配置した検出器付きのシートを実現することができる。